(57)【要約】【課題】記憶媒体の取り扱いに関するセキュリティの向上及び操作性の向上を実現することが可能な情報処理装置を提供する。【解決手段】サーバ装置１０１本体に設けられ且つディスクが着脱可能に装着されるシステムベイ２０３及びデータベイ２０４と、システムベイ２０３及びデータベイ２０４を制御する第２の制御部２０２とを具備して成り、第２の制御部２０２は、ディスクがシステムベイ２０３及びデータベイ２０４に装着されると、システムベイ２０３及びデータベイ２０４からディスクを取り外せないように制御する。【選択図】      図２
2004348654.tif 000002
【特許請求の範囲】
【請求項１】
情報処理装置本体に設けられ且つ記憶媒体が着脱可能に装着される記憶媒体装着部と、
前記記憶媒体装着部を制御する制御手段とを具備して成り、
前記制御手段は、前記記憶媒体が前記記憶媒体装着部に装着されると該記憶媒体装着部から前記記憶媒体を取り外せないように制御することを特徴とする情報処理装置。
【発明の詳細な説明】
【０００１】
【発明の属する技術分野】
本発明は、記憶媒体が着脱可能な情報処理装置に関する。
【０００２】
【従来の技術】
近年、電子計算機等で使用され且つハードディスク等に代表される記憶媒体の大容量化に伴い、その信頼性や操作性、セキュリティの向上が望まれている。
【０００３】
例えば、ハードディスクの信頼性向上においては、複数のハードディスクを使用し、ＲＡＩＤ構成を組むことで、その故障率を低下させている。
【０００４】
また、操作性向上においては、記憶媒体としてリムーバブルディスクなるものが登場し、ディスクの交換作業に係る作業の容易さが飛躍的に向上した。
【０００５】
これらは、ハードディスクのみならず、書き込み可能なＤＶＤやＣＤ、そして、ＣＦカードやＳＤカード等といった、より操作が簡単なメディア（記憶媒体）が多数出てきている。
【０００６】
しかし、一方、このように利便性が向上したことにより、記憶媒体の所有者のみならず、第三者にとっても、取り扱いが簡単となり、盗難の可能性が高くなった。
【０００７】
従来、記憶媒体のセキュリティを高めるための工夫を施した“電子ロック付きファイルベイカバーを有する電子計算機及びその制御方法”（特許文献１参照：以下、第１の従来例と記述する）や、“電子ロック機能付きドアを有する電子計算機”（特許文献２参照：以下、第２の従来例と記述する）等がある。
【０００８】
第１の従来例においては、記憶媒体ドライブユニットが設けられたファイルベイを覆う形でベイカバーが設けられ、該ベイカバーには電子ロックが取り付けられている。そして、ユーザは、物理的な鍵を携帯、若しくは管理する必要がなく、電子制御により施錠操作がなされることで、セキュリティ面の向上が図れるようになっている。
【０００９】
また、第２の従来例においては、第１の従来例と同様に、記憶媒体ドライブユニットにカバーが設けられ、電子ロックが取り付けられている。そして、電子計算機本体とは独立した制御部、電源部、通信部を持つ機器により、前記電子ロックの制御を行い、セキュリティ効果を高めている。
【００１０】
【特許文献１】
特開２０００−１９４４４８号公報
【特許文献２】
特開２００２−３７３０３０号公報
【００１１】
【発明が解決しようとする課題】
しかしながら、第１の従来例では、電子ロックの制御は、ネットワークを使用したユーザ操作により、電子計算機本体の制御部が施錠及び解錠を行っている。そのため、電子計算機の電源が休止状態であったり、ネットワークが停止状態であったり、停電中であったりする等、電子ロック機構が正常に動作しないことが考えられ、セキュリティ面での不都合が生じる。
【００１２】
また、第２の従来例では、電子計算機本体とは独立した機器により、電子ロック制御を行うことにより、電子計算機本体の電源状態、ネットワーク状態に係らず、電子ロック機構が正常に動作するものと考えられる。しかしながら、電源部が独立しているために、コンセントが２個必要であったり、ネットワーク通信部が独立しているために、ＩＰアドレスが２つ必要になったりする等、ハードウェアが大きくなり、コストも増大してしまうといった問題がある。
【００１３】
また、第１及び第２の従来例では、リムーバブルメディアを挿入し、ユーザが施錠操作を行うことにより、初めてメディアの取り出しを不可能にしており、ユーザの施錠操作無しでは、メディアは簡単に取り出せる状態にあるという問題は、依然残ったままである。
【００１４】
また、第１及び第２の従来例では、メディア、特に、ハードディスクの種別がシステム用ディスクであるか、データ用ディスクであるかを判別していない。そのため、ハードディスクを装着した後、ユーザ操作により電子ロックを施錠し、電子計算機本体の電源を投入し、ハードディスクが起動することにより、初めてディスクが、システム用であるかデータ用であるかが分る構造になっている。
【００１５】
このように、システム用ディスク及びデータ用ディスクの取り間違いにより、誤ったディスクを装着した場合、電子ロックを施錠しているため、これを解錠する操作が必要となってしまい、使い勝手が悪くなってしまっていた。
【００１６】
本発明は、上述した従来技術における問題点を解消するためになされたもので、その目的は、電子計算機利用者に対して、リムーバブルメディア等の記憶媒体の取り扱いに関するセキュリティの向上及び操作性の向上を実現することが可能な情報処理装置を提供することである。
【００１７】
【課題を解決するための手段】
上記目的を達成するために本発明の情報処理装置は、情報処理装置本体に設けられ且つ記憶媒体が着脱可能に装着される記憶媒体装着部と、前記記憶媒体装着部を制御する制御手段とを具備して成り、前記制御手段は、前記記憶媒体が前記記憶媒体装着部に装着されると該記憶媒体装着部から前記記憶媒体を取り外せないように制御することを特徴とする。
【００１８】
【発明の実施の形態】
以下、本発明の各実施の形態を図面に基づき説明する。
【００１９】
（第１の実施の形態）
まず、本発明の第１の実施の形態について、図１乃至図５に基づき説明する。
【００２０】
図１は、本実施の形態に係る情報処理装置である管理サーバを使用したシステム構成を示す図である。
【００２１】
図１において、１０１はサーバ装置（情報処理装置）、１０２はネットワーク（パーソナルエリアネットワーク）、１０３はデスクトップＰＣ（パーソナルコンピュータ）から成る第１のＰＣ（情報端末）、１０４はノートＰＣから成る第２のＰＣ（情報端末）、１０５はプリンタ（情報端末）、１０６はスキャナ（情報端末）である。
【００２２】
サーバ装置１０１は、ユーザ、各端末１０３〜１０６、各種メディア等に対して、それぞれにＩＤ（識別子）を発行して一括管理する機能を有し、内部に記憶されているデータに対しても全て暗号化を行い、各データへのアクセスに対して各種ＩＤ情報に応じた認証及び処理を行うものである。サーバ装置１０１は、専用或いは汎用の記憶媒体（メディア）を着脱可能に装着し得る複数のベイ（記憶媒体装着部）１０１４〜１０１６と、該ベイ１０１４〜１０１６の装着口を開閉可能に覆う２つのカバー（蓋）１０１１，１０１２とを有する構成になっている。各カバー１０１１，１０１２は、装着口を閉塞した状態において各ベイ１０１４〜１０１６に装着した記憶媒体が必要時以外は取り出せないように電子的にロック（鍵）がかかる（施錠される）ように構成されている。図１において、サーバ装置１０１の正面に位置するカバー扉１０１１には、タッチセンサ付きの液晶表示器等から成る表示部１０１３が配設されている。この表示部１０１３は、様々な情報の表示や、その表示画面にペン等で触れることによって、各種設定の入力や情報（例えば、パスワード）の入力も可能となっている。
【００２３】
ネットワーク１０２は、サーバ装置１０１によって管理されている。第１のＰＣ１０３は、ネットワーク１０２に接続されている。この第１のＰＣ１０３は、サーバ装置１０１へデータを送信し或いはサーバ装置１０１の内部に記憶してあるデータへアクセスする端末として使用される。第２のＰＣ１０４は、ネットワーク１０２に接続されている。この第２のＰＣ１０４は、サーバ装置１０１へデータを送信し或いはサーバ装置１０１の内部に記憶してあるデータへアクセスする端末として使用される。プリンタ１０５は、ネットワーク１０２に接続されており、各種端末１０３〜１０６やサーバ装置１０１に記憶されているデータを印刷する際に使用する。スキャナ１０６は、ネットワーク１０２に接続されており、各種端末やサーバ装置１０１へ読み取った画像情報を送信する際に使用する。
【００２４】
サーバ装置１０１の内部には、サーバ機能を実現する第１の制御部と、カバー１０１１，１０１２や電源、そして、各カバー１０１１，１０１２の電子ロックの管理を行う第２の制御部とが存在する。第２の制御部は、サーバ装置１０１の本体部へ供給する電源が休止（オフ）状態であっても、常に動作し続けている。
【００２５】
図２は、本実施の形態に係る情報処理装置であるサーバ装置１０１における第１の制御部及び第２の制御部を中心とした内部機能構成を示すブロック図である。
【００２６】
図２において、２０１は第１の制御部、２０２は第２の制御部、２０３はシステムベイ（図１のベイ１０１６に相当する）、２０４はデータベイ（図１のベイ１０１４，１０１５に相当する）、２０５はタッチパネル式入力手段等から成る入力手段、２０６は液晶表示器等から成る表示出力手段（図１の表示部１０１３に相当する）、２０７は二次電源、２０８は電源制御手段、２０９は電源スイッチである。
【００２７】
第１の制御部２０１は、ＣＰＵ（中央演算処理装置）、メモリ、ネットワークインターフェース等の周辺機能から構成され、図１のネットワーク１０２に接続されている。
【００２８】
第２の制御部２０２は、ＣＰＵ、メモリ、入力手段ドライバ、表示出力手段ドライバ等の周辺機能を含んだ構成である。
【００２９】
システムベイ２０３は、サーバ装置１０１の上部に位置している。このシステムベイ２０３にはカバー（図１のカバー１０１２に相当する）が装備されており、以下、このカバーをトップカバーと記述する。システムベイ２０３は、第１の記憶装置２０３１、トップカバー開閉検知手段２０３２及びトップカバー電子ロック手段２０３３を有している。
【００３０】
第１の記憶装置２０３１には、サーバ装置１０１のシステムとなるＯＳ（オペレーティングシステム）、アプリケーションソフトや、データベース等が格納されたディスク（リムーバブルメディア：記憶媒体）が着脱可能に挿入される。第１の記憶装置２０３１は、複数のディスクを用いたＲＡＩＤ構成となっている。トップカバー開閉検知手段２０３２は、トップカバーの開閉状態及び開閉のイベントを検知するもので、その検知信号は、第２の制御部２０２へ送信される。トップカバー電子ロック手段２０３３は、トップカバーに装備されているものである。該トップカバー電子ロック手段２０３３は、第２の制御部２０２により制御され、トップカバーの施錠及び解錠操作が行われる。このトップカバーが施錠状態であるか解錠状態であるかを示す情報は、第２の制御部２０２のメモリに格納されている。
【００３１】
尚、サーバ装置１０１のシステムが入っているため（後述する）、サーバ装置１０１の本体部へ供給される電源が休止状態（オフ状態）でなければ、電子ロックの解錠は行われないようになっている。
【００３２】
データベイ２０４は、サーバ装置１０１のフロント部に位置している。データベイ２０４にもカバー（図１のカバー１０１１に相当する）が装備されており、以下、このカバーをフロントカバーと記述する。データベイ２０４は、第２の記憶装置２０４１、フロントカバー開閉検知手段２０４２、フロントカバー電子ロック手段２０４３、ＤＶＤドライブ等の記憶メディア用ドライブ２０４４及びＣＦカードスロット等の記憶メディア用スロット２０４５を有している。
【００３３】
第２の記憶装置２０４１には、データ等が入ったディスク（記憶媒体）が着脱可能に挿入される。この第２の記憶装置２０４１は、ＲＡＩＤ構成とはなっていない。フロントカバー開閉検知手段２０４２は、フロントカバーの開閉状態及び開閉のイベントを検知するもので、その検知信号は、第２の制御部２０２へ送信される。フロントカバー電子ロック手段２０４３は、フロントカバーに装備されている。このフロントカバー電子ロック手段２０４３は、第２の制御部２０２により制御され、フロントカバーの施錠及び解錠操作が行われる。このフロントカバーが施錠状態であるか解錠状態であるかを示す情報は、第２の制御部２０２のメモリに格納されている。記憶メディア用ドライブ２０４４は、ＤＶＤや、ＣＤ等の記憶メディアを駆動制御するものである。記憶メディア用スロット２０４５は、ＣＦカード等の記憶メディアを着脱可能に挿入するものである。
【００３４】
入力手段２０５は、サーバ装置１０１のフロントに位置する。この入力手段２０５は、ユーザからの操作入力や、パスワード入力に使われる。入力手段２０５からの入力データは、第２の制御部２０２へ送信され、該第２の制御部２０２により所定の処理が行われる。
【００３５】
表示出力手段２０６は、入力手段２０５と同様に、サーバ装置１０１のフロントに位置する。表示出力手段２０６は、サーバ装置１０１の状態表示や、ユーザへのメッセージ出力等、サーバ装置１０１のＵＩ（ユーザインタフェース）を表示する。この表示出力手段２０６は、第２の制御部２０２により制御されて、表示出力される。
【００３６】
二次電源２０７は、停電時や、ＡＣ電源が切断された場合にサーバ装置１０１の本体部へ供給するための電源である。二次電源２０７は、電源残量検知手段２０７１及び充電手段２０７２を有している。電源残量検知手段２０７１は、二次電源２０７の残量を検知するものである。充電手段２０７２は、ＡＣ電源より二次電源２０７に充電するものである。
【００３７】
電源制御手段２０８は、二次電源２０７からサーバ装置１０１の本体部（後述する）への電源供給を制御するものである。この電源制御手段２０８の制御は、第２の制御部２０２により行われる。サーバ装置１０１の本体部とは、第１の制御部２０１及びその周辺装置（各種のメディアドライブ、インタフェース等）を示している。
【００３８】
電源スイッチ検出手段２０９は、サーバ装置１０１に付属する図示しない電源スイッチが押下（オン）されたことを検出するものである。この電源スイッチは、サーバ装置１０１へ供給する電源をオン（ＯＮ）、またはオフ（ＯＦＦ）するためのスイッチである。
【００３９】
第２の制御部２０２は、サーバ装置１０１へ供給する電源がオン状態であるかオフ状態であるかを示す情報をメモリ（不図示）に格納しており、電源スイッチ検出手段２０９により電源スイッチが押下されたことを検知すると、メモリに格納された電源オン／オフ状態を示す情報により所定の処理を実行する。
【００４０】
次に、本実施の形態に係る情報処理装置であるサーバ装置１０１に装備されるトップカバー及び電子ロック手段２０３３，２０４３の制御動作について、図３のフローチャートを用いて説明する。
【００４１】
図３のフローチャートは、サーバ装置１０１へ供給する電源が休止状態（オフ状態）であり、ユーザによりサーバ装置１０１の電源スイッチが押下された場合の第２の制御部２０２が行う処理動作の流れを示したものである。
【００４２】
ユーザにより電源スイッチが押下されると（ステップＳ３０１）、これを電源スイッチ検出手段２０９が検知し、その検出信号が第２の制御部２０２へ送られる（ステップＳ３０２）。第２の制御部２０２は、電源スイッチ検出手段２０９の検出信号を割り込み信号により受信し、トップカバー開閉検知手段２０３２によりトップカバーの開閉状態を確認する（ステップＳ３０３）。そして、トップカバーが開状態である場合（ステップＳ３０４）、出力表示手段２０６へ、“トップカバーを閉めてください”等のメッセージを表示出力し（ステップＳ３０５）、ユーザにトップカバーを閉めるように促した後、前記ステップＳ３０４へ戻る。
【００４３】
また、ユーザがトップカバーを閉じた場合、または、前記ステップＳ３０４においてトップカバーが閉状態である場合、第２の制御部２０２は、メモリに格納されている情報をロードして、トップカバーがロック（施錠）されているか否かを判断する（ステップＳ３０６）。そして、トップカバーがロックされていない（アンロック）状態であれば、第２の制御部２０２は、トップカバー電子ロック手段２０３３により、トップカバーをロックする（ステップＳ３０７）。トップカバーをロックした後、または前記ステップＳ３０６においてトップカバーがロックされた状態にある場合、第２の制御部２０２は、電源制御手段２０９によりサーバ装置１０１へ電源を供給する（ステップＳ３０８）。
【００４４】
以上のように、本実施の形態に係るサーバ装置１０１においては、ユーザが電源スイッチを押下した場合、第２の制御部２０２により自動的にトップカバーをロックするようになっており、ユーザがトップカバーをロックする操作を格別行わなくても良い。
【００４５】
また、図３の例では、電源スイッチが押下された場合にトップカバーを自動的にロックする例を示したが、図４のフローチャートに示すように、トップカバーが閉じられた場合に、このトップカバーをロックするようにしても良い。
【００４６】
即ち、ユーザにてトップカバーが閉じられると（ステップＳ４０１）、これをトップカバー開閉検知手段２０３２が検知し（ステップＳ４０２）、その検出信号が第２の制御部２０２へ送られる。第２の制御部２０２は、トップカバー開閉検知手段２０３２の検知信号を受信し、トップカバー電子ロック手段２０３３によりトップカバーをロックする（ステップＳ４０３）。
【００４７】
また、図３及び図４の例では、自動的にトップカバーをロックする場合を例示したが、ユーザが入力手段２０５を用いて必要な情報を入力することにより、トップカバーを自動的にロックすることも可能である。
【００４８】
このように、自動的にトップカバーをロックすることにより、セキュリティ効果が高まり、また、操作性の向上をも実現可能なサーバ装置１０１を提供することができる。
【００４９】
また、上記の場合以外においても、セキュリティを確保しなければならない場合がある。
【００５０】
サーバ装置１０１の第２の制御部２０２は、トップカバー及びフロントカバーの電子ロック手段２０３３，２０４３のロック（施錠）、アンロック（解錠）を制御している。第２の制御部２０２に供給される電源は、サーバ装置１０１の電源と共用している。
【００５１】
よって、停電等によりＡＣ電源からの供給が停止した場合、第２の制御部２０２の電源は、二次電源２０７から供給される。二次電源２０７が電源を供給できる所定の時間は決まっているため、サーバ装置１０１の本体部のみならず、電子ロック手段２０３３，２０４３を制御している第２の制御部２０２の電源も休止しなければならない。
【００５２】
図５は、二次電源２０７の残量が少なくなり、第２の制御部２０２の電源も休止する場合における、トップカバー及びフロントカバー及びそれぞれの電子ロック手段２０３３，２０４３の制御動作の流れを示すフローチャートである。
【００５３】
サーバ装置１０１がＡＣ電源より電源を供給できない、例えば、停電等の場合、サーバ装置１０１の本体部には、二次電源２０７から電源が供給される。二次電源２０７が電源を供給できる所定の時間は決まっており、この所定の時間が経過する前に、ＡＣ電源からの電源供給が無い場合は、サーバ装置１０１の本体部は終了処理を実行しなければならない。
【００５４】
図５において、二次電源２０７の電源容量が少なくなると、これを電源残量検知手段２０７１が検知し、その検知信号を第２の制御部２０２へ送って通知する（ステップＳ５０１）。第２の制御部２０２は、一定時間経過後、例えば、５分経過後に終了処理を開始することをユーザへ知らせるために、表示出力手段２０６により警告表示を行う（ステップＳ５０２）。この警告表示は、例えば、“バッテリ残量が少なくなっています。５分後にシャットダウン処理を開始します。シャットダウン時にはトップカバー及びフロントカバーをロックします”とのメッセージを表示出力手段２０６へ表示出力する。
【００５５】
このようなメッセージを表示出力手段２０６へ表示出力した後、第２の制御部２０２は、一定時間（例えば、５分間）のカウントを行う（ステップＳ５０３）。この間に、二次電源２０７の充電手段２０７４により、ＡＣ電源からの充電が開始されなかった場合、第２の制御部２０２は、まず、サーバ装置１０１の電源を休止するために、第１の制御部２０１をシャットダウン処理する（ステップＳ５０４）。第１の制御部２０１は、前記ステップＳ５０４のシャットダウン処理を終了時、第２の制御部２０２へシャットダウン処理終了の通知を行う（ステップＳ５０５）。または、第１の制御部２０１と第２の制御部２０２の通信リンクが切断されたことにより、第２の制御部２０２は、第１の制御部２０１のシャットダウン処理が終了したとみなしても良い。
【００５６】
次に、第２の制御部２０２は、電源制御手段２０７２によりサーバ装置１０１の電源を休止状態に設定する（ステップＳ５０６）。次に、第２の制御部２０２は、再度トップカバー及びフロントカバーをロック（施錠）する旨のメッセージを表示出力手段２０６により警告表示する（ステップＳ５０７）。このメッセージは、例えば、“バッテリ残量が少なくなっています。トップカバー及びフロントカバーをロックして、シャットダウン処理します”といった内容である。
【００５７】
次に、トップカバー及びフロンカバーのロック制御へ移る。
【００５８】
まず、第２の制御部２０２の持つメモリに記録された情報を読み込み、トップカバーがロック（施錠）されているか否かを判断する（ステップＳ５０８）。そして、トップカバーがアンロック（解錠）状態である場合、第２の制御部２０２は、トップカバー電子ロック手段２０３２によりトップカバーをロックする（ステップＳ５０９）。トップカバーがロックされた後、または前記ステップＳ５０８においてトップカバーがロック状態であると判断されると、第２の制御部２０２は、メモリに格納された情報を読み込み、フロントカバーがロックされているか否かを判断する（ステップＳ５１０）。そして、フロントカバーがアンロック状態である場合、第２の制御部２０２は、フロントカバー電子ロック手段２０４３によりフロントカバーをロックする（ステップＳ５１１）。フロントカバーがロックされた後、または前記ステップＳ５１０においてフロントカバーがロック状態であると判断されると、第２の制御部２０２は、自分自身の電源を休止状態にするために、自身の終了処理を開始し、第２の制御部２０２の電源を休止状態にする（ステップＳ５１２）。
【００５９】
以上のように、本実施の形態に係るサーバ装置１０１においては、電子ロック手段２０３３，２０４３を制御する第２の制御部２０２への電源供給が行われなくなった場合、記憶媒体（リムーバブルメディア）が挿入されているシステムベイ２０３のトップカバー及びデータベイ２０４のフロントカバーをロックする。これにより、サーバ装置１０１の電源が休止状態であっても、第１の記憶装置２０３１及び第２の記憶装置２０４１からの記憶媒体の取り出しが不可能になり、第三者により記憶媒体を勝手に持ち出されるといったことがなく、セキュリティが保たれた状態を維持することができる。
【００６０】
尚、トップカバーをアンロック状態にして、ディスクを取り出すためには、入力手段２０５から、ディスク取り出しのためのコマンドを入力することにより行う。このコマンドを第２制御部が受け取り、ユーザから入力されたＩＤ、パスワードと第１記憶部２０３１、第２記憶部２０４１に記憶されている情報とを比較することにより、ディスクを取り出す構成となっている。
【００６１】
（第２の実施の形態）
次に、本発明の第２の実施の形態について、図６乃至図９に基づき説明する。
【００６２】
尚、本実施の形態に係る情報処理装置である管理サーバを使用したシステム構成は、図１と同様であるため、同図を流用して説明する。
【００６３】
図６は、本実施の形態に係る情報処理装置であるサーバ装置１０１の内部の構成を示すブロック図であり、同図において、図２と同一部分には同一符号が付してある。
【００６４】
図６において図２と異なる点は、システムベイ２０３とデータベイ２０４の構成である。
【００６５】
即ち、本実施の形態におけるシステムベイ２０３は、第１の記憶装置２０３１、トップカバー開閉検知手段２０３２、トップカバー電子ロック手段２０３３及び第１記憶媒体（ディスク）判別手段２０３４を有している。
【００６６】
また、本実施の形態におけるデータベイ２０４は、第２の記憶装置２０４１、フロントカバー開閉検知手段２０４２、フロントカバー電子ロック手段２０４３、第２記憶媒体（ディスク）判別手段２０４６及び記憶媒体（ディスク）排出手段２０４７を有している（ＤＶＤドライブ２０４４及びＣＦカードスロット２０４５は有していない。）。
【００６７】
第１の記憶媒体判別手段２０３４は、第１の記憶装置２０３１に挿入されている記憶媒体が、サーバ装置１０１のシステムであるＯＳやアプリケーションソフトウェアが入っているリムーバブルハードディスクか、データが入っているハードディスクかを判別するものである。第１の記憶媒体判別手段２０３４の判別信号は、第２の制御部２０２へ送られる。
【００６８】
第１の記憶媒体判別手段２０３４における、記憶媒体の種別を判断する方法は種々あるが、ここでは、ハードディスクのインターフェースピンを使用する。システムが入ったハードディスクは、予めシステムがインストールされたときに、テスト用ピンとグランドピンとの間に接続されたヒューズが高電圧を印加されて切断されているため、テスト電圧をかけても通電しない。これにより、システム用ディスクであると判断される。また、データ用ディスクの場合は、前記ヒューズが切断されていないため、所定のテストピンに対してテスト電圧を印加すると通電するので、データ用ディスクであると判断される仕組みとなっている。
【００６９】
また、第２の記憶媒体判別手段２０４６は、第２の記憶装置２０４１に挿入された記憶媒体であるディスクがシステム用ディスクであるかデータ用ディスクであるかを判別するものである。第２の記憶媒体判別手段２０４６の判別信号は、第２の制御部２０２へ送信される。この第２の記憶媒体判別手段２０４６も、ここでは第１の記憶媒体判別手段２０３４と同じ方法で判別するようになっている。
【００７０】
記憶媒体排出手段２０４７は、第２の記憶装置２０４に挿入されている記憶媒体であるディスクを第２の記憶装置２０４からイジェクト（排出）するものである。記憶媒体排出手段２０４７は、第２の制御部２０２からの制御信号により動作するものである。第２の制御部２０２は、ユーザから入力手段２０５によりディスクの排出を要求された場合、または、第１の制御部２０１からの要求（例えば、ネットワーク１０２経由でディスクのイジェクトを要求）により、パスワード認証等によるユーザ確認を行った上で、第２の記憶装置２０４からディスクをイジェクトする。
【００７１】
次に、本実施の形態に係るサーバ装置１０１に装備されるトップカバー及び電子ロック手段２０３３，２０３４の制御動作について、図７のフローチャートに基づき説明する。
【００７２】
図７のフローチャートは、サーバ装置１０１へ供給する電源が休止状態（オフ状態）であり、ユーザによりサーバ装置１０１の電源スイッチが押下された場合の第２の制御部２０２が行う処理動作の流れを示したものである。
【００７３】
図７において、ユーザにより電源スイッチが押下されると（ステップＳ７０１）、これを電源スイッチ検出手段２０９が検知し、その検出信号が第２の制御部２０２へ送られる（ステップＳ７０２）。第２の制御部２０２は、電源スイッチ検出手段２０９の検出信号を割り込み信号により受信し、第１のディスク判別手段２０３４により、システムベイ２０３の第１の記憶装置２０３１にディスクが挿入されているか否かを確認する（ステップＳ７０３）。そして、システムベイ２０３の第１の記憶装置２０３１にディスクが挿入されていない場合、サーバ装置１０１のシステムが無いので、サーバ装置１０１は起動できない。第２の制御部２０２は、ユーザにシステム用ディスクを第１の記憶装置２０３１に挿入することを促すメッセージを、表示出力手段２０６により表示出力する（ステップＳ７０４）。次に、メモリに記憶された情報を読み込み、トップカバーがロックされているか否かを確認する（ステップＳ７０５）。そして、トップカバーがロックされていれば、トップカバー電子ロック手段２０３３により、トップカバーをアンロックする（ステップＳ７０６）。
【００７４】
また、前記ステップＳ７０５において、トップカバーがアンロック状態である場合及び前記ステップＳ７０６において、トップカバーをアンロックした後は、いずれも前記ステップＳ７０３へ戻って、再度処理が続けられる。
【００７５】
一方、前記ステップＳ７０３において、システムベイ２０３の第１の記憶装置２０３１にディスクが挿入されていると確認された場合、第２の制御部２０２は、第１のディスク判別手段２０３４により、第１の記憶装置２０３１に挿入されているディスクの種別を判別する（ステップＳ７０７）。そして、第１の記憶装置２０３１に挿入されているディスクがデータ用ディスクである場合（ステップＳ７０８）、サーバ装置１０１のシステムが存在しないので、第２の制御部２０２は、ユーザに第１の記憶装置２０３１にシステム用ディスクを挿入することを促すメッセージを、表示出力手段２０６により表示出力する（ステップＳ７０４）。
【００７６】
また、前記ステップＳ７０８において、システムベイ２０３の第１の記憶装置２０３１に挿入されているディスクがシステム用ディスクであると判断された場合、第２の制御部２０２は、トップカバー開閉検知手段２０３２により、トップカバーの開閉状態を確認する（ステップＳ７０９）。そして、トップカバーが開状態である場合、“トップカバーを閉めてください”等のメッセージを表示出力手段２０６により表示出力し、ユーザにトップカバーを閉めるように注意を促す（ステップＳ７１１）。ユーザがトップカバーを閉じたとき、または前記ステップＳ７１０においてトップカバーが閉状態であると判断された場合、第２の制御部２０２は、自身のメモリに記録した情報を読み込み、トップカバーがロックされているか否かを確認する（ステップＳ７１２）。そして、トップカバーがロックされていない（アンロック）状態であれば、第２の制御部２０２は、トップカバー電子ロック手段２０３３により、トップカバーをロックする（ステップＳ７１３）。トップカバーをロックした後、または前記ステップＳ７１２において、トップカバーがロックされていると確認された場合、第２の制御部２０２は、電源制御手段２０８により、サーバ装置１０１の本体部へ電源を供給する（ステップＳ７１４）。
【００７７】
以上のように、本実施の形態に係るサーバ装置１０１においては、ユーザが電源スイッチを押下したとき、第２の制御部２０２により、第１の記憶装置２０３１に挿入されているディスクが、サーバ装置１０１のシステムが格納されたシステム用ディスクであるか否かを判断し、システム用ディスクであると判断された場合は、トップカバー電子ロック手段２０３３により自動的にトップカバーがロックするようになっており、ユーザがトップカバーをロックする操作を格別行わなくても良い。
【００７８】
また、図７の例では、電源スイッチが押下された場合に、サーバ装置１０１のシステム用ディスクが第１の記憶装置２０３１に挿入されているか否かを判断し、挿入されていると判断された場合に、トップカバーをトップカバー電子ロック手段２０３３により自動的にロックする場合を例示したが、上述した第１の実施の形態と同様に、トップカバーが閉じられた場合に、該トップカバーをトップカバー電子ロック手段２０３３によりロックするようにしても良い。
【００７９】
また、同様に、ユーザが入力手段２０５を用いて、トップカバー及びフロントカバーのロックを行うことも勿論可能である。
【００８０】
図８は、トップカバーが閉じられた場合に、該トップカバーをトップカバー電子ロック手段２０３３によりロックするようにした場合の処理動作の流れを示すフローチャートであり、同図におけるステップＳ８０３〜ステップＳ８１４は、上述した図７におけるステップＳ７０３〜ステップＳ７１４と同一であるから、これらの説明は省略し、図８特有の処理動作についてのみ説明する。
【００８１】
ユーザにより電源スイッチが押下されると（ステップＳ８０１）、これを電源スイッチ検出手段２０９が検知し、その検出信号が第２の制御部２０２へ送られる（ステップＳ８０２）。その後、ステップＳ８０１〜ステップＳ８１４を実行する。
【００８２】
また、図７では、システムベイ２０３の第１の記憶装置２０３１に挿入されているディスクがシステム用ディスクであるかデータ用ディスクであるかを判断し、トップカバー電子ロック手段２０３３制御をする例であったが、図６と同じ機能ブロックにおいて、図９のフローチャートに示すようなデータベイ２０４における制御が可能である。
【００８３】
データベイ２０４において、第２の記憶装置２０４１にディスクが挿入されたことを、第２のディスク判別手段２０４６が検知し、その検知信号を第２の制御部２０２へ送信する（ステップＳ９０１）第２の制御部２０２は、第２のディスク判別手段２０４６により第２の記憶装置２０４１に挿入されているディスクの種別を判別する（ステップＳ９０２）。そして、第２の記憶装置２０４１に挿入されたディスクがデータ用ディスクであった場合（ステップＳ９０３）、第２の制御部２０２は、“データ用ディスクが挿入されました”とのメッセージを、表示出力手段２０６によりユーザに向けて表示出力する（ステップＳ９０４）。ユーザは、表示出力手段２０６により表示出力されたメッセージにより、データ用ディスクが第２の記憶装置２０４１に正常に挿入されたことを確認できる。
【００８４】
また、前記ステップＳ９０３において、第２の記憶装置２０４１に挿入されているディスクがシステム用ディスクであると判断された場合、第２の制御部２０２は、“システム用ディスクがデータ用ドライブに挿入されました。ディスクをイジェクトします”と言うメッセージを、表示出力手段２０６により表示出力する（ステップＳ９０５）。ユーザは、表示出力手段２０６により表示出力されたメッセージにより、システム用データを誤ってデータ用ドライブ（第２の記憶装置２０４１）に挿入してしまったことが分る。次に、第２の制御部２０２は、ディスク排出手段２０４７により、第２の記憶装置２０４１からディスクを排出（イジェクト）する。
【００８５】
前記ステップＳ９０４及び前記ステップＳ９０６の処理が終了後は、いずれも第２の記憶装置２０４１にディスクが挿入されたイベントによる第２の制御部２０２の処理が終了する（ステップＳ９０７）。
【００８６】
以上のような制御により、サーバ装置１０１のシステム用ディスクを誤ってデータベイ２０３の第１の記憶装置２０３１に挿入してしまい、システムに上書きしてしまったり、システム用データを破壊してしまったりするミスを、事前に防ぐことが可能である。
【００８７】
このように、自動的にトップカバー及びフロントカバーをロックすることにより、セキュリティの向上、または操作性の向上が図られたサーバ装置を実現することができる。
【００８８】
また、ディスクの種別を判断してトップカバー及びフロントカバーをロックするため、ロック後にディスク装着部である記憶装置への装着違いに気づき、カバーをアンロックして他のディスクに交換し、再度カバーをロックするといった余計な手間がなくなり、操作性が向上する。
【００８９】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００９０】
本発明の実施態様の例を以下に列挙する。
【００９１】
［実施態様１］  情報処理装置本体に設けられ且つ記憶媒体が着脱可能に装着される記憶媒体装着部と、
前記記憶媒体装着部を制御する制御手段とを具備して成り、
前記制御手段は、前記記憶媒体が前記記憶媒体装着部に装着されると該記憶媒体装着部から前記記憶媒体を取り外せないように制御することを特徴とする情報処理装置。
【００９２】
［実施態様２］  情報処理装置本体に設けられ且つ記憶媒体が着脱可能に装着される第１の記憶媒体装着部と、
前記情報処理装置本体に設けられ且つ記憶媒体が着脱可能に装着される第２の記憶媒体装着部と、
少なくとも前記第１の記憶媒体装着部を制御する制御手段とを具備して成り、
前記制御手段は、前記記憶媒体が前記第１の記憶媒体装着部に装着されると該第１の記憶媒体装着部から前記記憶媒体を取り外せないように制御することを特徴とする情報処理装置。
【００９３】
［実施態様３］  情報処理装置本体に設けられ且つ記憶媒体が着脱可能に装着される第１の記憶媒体装着部と、
前記第１の記憶媒体装着部の装着口を開閉する第１の蓋と、
前記第１の蓋を閉塞状態において施錠する施錠手段と、
前記情報処理装置本体に設けられ且つ記憶媒体が着脱可能に装着される第２の記憶媒体装着部と、
前記第２の記憶媒体装着部の装着口を開閉する第２の蓋と、
前記第１及び第２の記憶媒体装着部を制御する制御手段とを具備して成り、
前記第２の制御手段は、前記記憶媒体が前記第１の記憶媒体装着部に装着されると、前記施錠手段により前記第１の蓋を施錠するように制御することを特徴とする情報処理装置。
【００９４】
［実施態様４］  前記第２の蓋を閉塞状態において施錠する第２の施錠手段を具備し、
前記制御手段は、前記記憶媒体が前記第２の記憶媒体装着部に装着されると、前記第２の施錠手段により前記第２の蓋を施錠するように制御することを特徴とする実施態様４または５に記載の情報処理装置。
【００９５】
［実施態様５］  前記情報処理装置へ供給する電源をオン／オフ制御する電源スイッチを具備し、
前記情報処理装置の電源がオフ状態において前記電源スイッチがオンされると、前記制御手段は、前記施錠手段により前記蓋を施錠し且つ前記電源をオン状態となるように制御することを特徴とする実施態様４乃至６のいずれかに記載の情報処理装置。
【００９６】
［実施態様６］  前記第１の記憶媒体装着部に装着されている前記記憶媒体がシステム用かデータ用かを判断する判断手段を具備し、
前記制御手段は、前記判断手段により前記第１の記憶媒体装着部に装着されている記憶媒体がシステム用であると判断された場合、前記第１の施錠手段により前記第１の蓋を施錠するように制御することを特徴とする実施態様４乃至７のいずれかに記載の情報処理装置。
【００９７】
［実施態様７］  前記情報処理装置へ供給する電源がオフ状態において、前記電源スイッチがオンされると、前記制御手段は、前記判断手段により前記第１の記憶手段装着部に装着されている前記記憶媒体がシステム用であると判断された場合、前記第１の施錠手段により前記第１の蓋を施錠し且つ前記電源をオン状態となるように制御することを特徴とする実施態様８に記載の情報処理装置。
【００９８】
［実施態様８］  情報処理装置本体に設けられ且つ記憶媒体が着脱可能に装着される第１の記憶媒体装着部と、
前記第１の記憶媒体装着部の装着口を開閉する第１の蓋と、
前記第１の蓋を閉塞状態において施錠する第１の施錠手段と、
前記情報処理装置本体に設けられ且つ記憶媒体が着脱可能に装着される第２の記憶媒体装着部と、
前記第２の記憶媒体装着部の装着口を開閉する第２の蓋と、
前記第２の蓋を閉塞状態において施錠する第２の施錠手段と、
前記記憶媒体を前記第２の記憶媒体装着部から電子的に排出する排出手段と、
前記第１及び第２の記憶媒体装着部を制御する制御手段とを具備して成り、
前記制御手段は、前記第２の記憶媒体装着部に装着されている前記記憶媒体がシステム用であれば、前記排出手段により前記記憶媒体を前記第２の記憶媒体装着部から排出するように制御することを特徴とする情報処理装置。
【００９９】
【発明の効果】
本発明の情報処理装置によれば、記憶媒体装着部の装着口を開閉する蓋が閉塞状態において自動的に施錠されるため、蓋の施錠を忘れてしまうことがないので、記憶媒体の取り扱いに関するセキュリティの向上及び操作性の向上を実現することが可能である。
【図面の簡単な説明】
【図１】本発明の第１の実施の形態に係る情報処理装置であるサーバ装置が、パーソナルエリアネットワークにおいて使用される一例を示す図である。
【図２】本発明の第１の実施の形態に係る情報処理装置であるサーバ装置の内部機能構成を示すブロック図である。
【図３】本発明の第１の実施の形態に係る情報処理装置であるサーバ装置の本体部の電源が休止時に、電源スイッチが押下された場合の第２の制御部によるカバー及び電子ロック手段のロック処理を説明するフローチャートである。
【図４】本発明の第１の実施の形態に係る情報処理装置であるサーバ装置におけるトップカバーが閉じられた場合の、第２の制御部による処理を説明するフローチャートである。
【図５】本発明の第１の実施の形態に係る情報処理装置であるサーバ装置の二次電源の残量が少なくなったときの処理を説明するフローチャートである。
【図６】本発明の第２の実施の形態に係る情報処理装置であるサーバ装置の内部機能構成を示すブロック図である。
【図７】本発明の第２の実施の形態に係る情報処理装置であるサーバ装置の本体部の電源が休止時に、電源スイッチが押下された場合の、第２の制御部によるカバー及び電子ロック手段のロック処理を説明するフローチャートである。
【図８】本発明の第２の実施の形態に係る情報処理装置であるサーバ装置におけるトップカバーが閉じられた場合の、第２の制御部による処理を説明するフローチャートである。
【図９】本発明の第２の実施の形態に係る情報処理装置であるサーバ装置におけるデータベイにディスクが装着された場合処理を説明するフローチャートである。
【符号の説明】
１０１        情報処理装置（サーバ装置）
１０２        パーソナルエリアネットワーク
１０３        デスクトップＰＣ
１０４        ノートＰＣ
１０５        プリンタ
１０６        スキャナ
１０１１      フロントカバー
１０１２      トップカバー
１０１３      液晶画面
１０１４      フロントベイ
１０１５      フロントベイ
１０１６      トップベイ
２０１        第１の制御部
２０２        第２の制御部
２０３        システムベイ
２０３１      第１の記憶装置
２０３２      トップカバー開閉検知手段
２０３３      トップカバー電子ロック手段
２０３４      第１のディスク判別手段
２０４        データベイ
２０４１      第２の記憶装置
２０４２      フロントカバー開閉検知手段
２０４３      フロントカバー電子ロック手段
２０４４      ＤＶＤドライブ
２０４５      ＣＦカードドライブ
２０４６      第２のディスク判別手段
２０４７      ディスク排出手段
２０５        入力手段（タッチパネル入力手段）
２０６        表示出力手段（液晶出力手段）
２０７        二次電源
２０７１      電源残量検知手段
２０７２      充電手段
２０８        電源制御手段
２０９        電源スイッチ検出手段
【図１】
2004348654.tif 000003
【図２】
2004348654.tif 000004
【図３】
2004348654.tif 000005
【図４】
2004348654.tif 000006
【図５】
2004348654.tif 000007
【図６】
2004348654.tif 000008
【図７】
2004348654.tif 000009
【図８】
2004348654.tif 000010
【図９】
2004348654.tif 000011
【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】
情報処理装置本体に設けられ記憶媒体が着脱可能に装着される記憶媒体装着部と、
前記記憶媒体装着部を制御する制御手段とを具備して成り、
前記制御手段は、前記記憶媒体が前記記憶媒体装着部に装着されると該記憶媒体装着部から前記記憶媒体を取り外せないように制御することを特徴とする情報処理装置。
【請求項２】
前記記憶媒体装着部が第１の記憶媒体装着部と第２の記憶媒体装着部とから構成され、
前記制御手段は、前記記憶媒体が前記第１の記憶媒体装着部に装着されると該第１の記憶媒体装着部から前記記憶媒体を取り外せないように制御することを特徴とする請求項１に記載の情報処理装置。
【請求項３】
情報処理装置本体に設けられ記憶媒体が着脱可能に装着される第１の記憶媒体装着部と、
前記第１の記憶媒体装着部の装着口を開閉する第１の蓋と、
前記第１の蓋を閉塞状態において施錠する施錠手段と、
前記情報処理装置本体に設けられ記憶媒体が着脱可能に装着される第２の記憶媒体装着部と、
前記第２の記憶媒体装着部の装着口を開閉する第２の蓋と、
前記第１及び第２の記憶媒体装着部を制御する制御手段と
を具備し、
前記第２の制御手段は、前記記憶媒体が前記第１の記憶媒体装着部に装着されると、前記施錠手段により前記第１の蓋を施錠するように制御することを特徴とする情報処理装置。
【請求項４】
前記第２の蓋を閉塞状態において施錠する第２の施錠手段を具備し、
前記制御手段は、前記記憶媒体が前記第２の記憶媒体装着部に装着されると、前記第２の施錠手段により前記第２の蓋を施錠するように制御することを特徴とする請求項３に記載の情報処理装置。
【請求項５】
前記情報処理装置へ供給する電源をオン／オフ制御する電源スイッチを具備し、
前記情報処理装置の電源がオフ状態において前記電源スイッチがオンされると、前記制御手段は、前記施錠手段により前記蓋を施錠し且つ前記電源をオン状態となるように制御することを特徴とする請求項４に記載の情報処理装置。
【請求項６】
前記第１の記憶媒体装着部に装着されている前記記憶媒体がシステム用かデータ用かを判断する判断手段を具備し、
前記制御手段は、前記判断手段により前記第１の記憶媒体装着部に装着されている記憶媒体がシステム用であると判断された場合、前記第１の施錠手段により前記第１の蓋を施錠するように制御することを特徴とする請求項４に記載の情報処理装置。
【請求項７】
前記情報処理装置へ供給する電源がオフ状態において、前記電源スイッチがオンされると、前記制御手段は、前記判断手段により前記第１の記憶手段装着部に装着されている前記記憶媒体がシステム用であると判断された場合、前記第１の施錠手段により前記第１の蓋を施錠し且つ前記電源をオン状態となるように制御することを特徴とする請求項５に記載の情報処理装置。
【請求項８】
情報処理装置本体に設けられ記憶媒体が着脱可能に装着される第１の記憶媒体装着部と、
前記第１の記憶媒体装着部の装着口を開閉する第１の蓋と、
前記第１の蓋を閉塞状態において施錠する第１の施錠手段と、
前記情報処理装置本体に設けられ記憶媒体が着脱可能に装着される第２の記憶媒体装着部と、
前記第２の記憶媒体装着部の装着口を開閉する第２の蓋と、
前記第２の蓋を閉塞状態において施錠する第２の施錠手段と、
前記記憶媒体を前記第２の記憶媒体装着部から電子的に排出する排出手段と、
前記第１及び第２の記憶媒体装着部を制御する制御手段と
を具備し、
前記制御手段は、前記第２の記憶媒体装着部に装着されている前記記憶媒体がシステム用であれば、前記排出手段により前記記憶媒体を前記第２の記憶媒体装着部から排出するように制御することを特徴とする情報処理装置。
【請求項９】
記憶媒体が着脱可能に装着される記憶媒体装着部を有する情報処理装置であって、
前記記憶媒体装着部の装着口を開閉する蓋部材と、
前記蓋部材を施錠する施錠手段と、
前記情報処理装置の電源をオン／オフ制御する電源スイッチと、
前記電源スイッチの操作に応じて前記施錠手段が前記蓋部材を施錠するように制御する制御手段と
を有することを特徴とする情報処理装置。
【請求項１０】
記憶媒体が着脱可能に装着される記憶媒体装着部を有する情報処理装置であって、
前記記憶媒体装着部の装着口を開閉する蓋部材と、
前記蓋部材を施錠する施錠手段と、
前記情報処理装置の電源残量を検出する検出手段と、
前記検出手段によって検出される残量が所定値以下である場合に前記施錠手段が前記蓋部材を施錠するように制御する制御手段と
を有することを特徴とする情報処理装置。
【手続補正２】
【補正対象書類名】明細書
【補正対象項目名】００１７
【補正方法】変更
【補正の内容】
【００１７】
【課題を解決するための手段】
上記目的を達成するために本発明の情報処理装置は、情報処理装置本体に設けられ記憶媒体が着脱可能に装着される記憶媒体装着部と、前記記憶媒体装着部を制御する制御手段とを具備して成り、前記制御手段は、前記記憶媒体が前記記憶媒体装着部に装着されると該記憶媒体装着部から前記記憶媒体を取り外せないように制御することを特徴とする。
また、上記目的を達成するために本発明の情報処理装置は、情報処理装置本体に設けられ記憶媒体が着脱可能に装着される第１の記憶媒体装着部と、前記第１の記憶媒体装着部の装着口を開閉する第１の蓋と、前記第１の蓋を閉塞状態において施錠する施錠手段と、前記情報処理装置本体に設けられ記憶媒体が着脱可能に装着される第２の記憶媒体装着部と、前記第２の記憶媒体装着部の装着口を開閉する第２の蓋と、前記第１及び第２の記憶媒体装着部を制御する制御手段とを具備し、前記第２の制御手段は、前記記憶媒体が前記第１の記憶媒体装着部に装着されると、前記施錠手段により前記第１の蓋を施錠するように制御することを特徴とする。
また、上記目的を達成するために本発明の情報処理装置は、情報処理装置本体に設けられ記憶媒体が着脱可能に装着される第１の記憶媒体装着部と、前記第１の記憶媒体装着部の装着口を開閉する第１の蓋と、前記第１の蓋を閉塞状態において施錠する第１の施錠手段と、前記情報処理装置本体に設けられ記憶媒体が着脱可能に装着される第２の記憶媒体装着部と、前記第２の記憶媒体装着部の装着口を開閉する第２の蓋と、前記第２の蓋を閉塞状態において施錠する第２の施錠手段と、前記記憶媒体を前記第２の記憶媒体装着部から電子的に排出する排出手段と、前記第１及び第２の記憶媒体装着部を制御する制御手段とを具備し、前記制御手段は、前記第２の記憶媒体装着部に装着されている前記記憶媒体がシステム用であれば、前記排出手段により前記記憶媒体を前記第２の記憶媒体装着部から排出するように制御することを特徴とする。
また、上記目的を達成するために本発明の情報処理装置は、記憶媒体が着脱可能に装着される記憶媒体装着部を有する情報処理装置であって、前記記憶媒体装着部の装着口を開閉する蓋部材と、前記蓋部材を施錠する施錠手段と、前記情報処理装置の電源をオン／オフ制御する電源スイッチと、前記電源スイッチの操作に応じて前記施錠手段が前記蓋部材を施錠するように制御する制御手段とを有することを特徴とする。
更に、上記目的を達成するために本発明の情報処理装置は、記憶媒体が着脱可能に装着される記憶媒体装着部を有する情報処理装置であって、前記記憶媒体装着部の装着口を開閉する蓋部材と、前記蓋部材を施錠する施錠手段と、前記情報処理装置の電源残量を検出する検出手段と、前記検出手段によって検出される残量が所定値以下である場合に前記施錠手段が前記蓋部材を施錠するように制御する制御手段とを有することを特徴とする。
【手続補正３】
【補正対象書類名】明細書
【補正対象項目名】００９０
【補正方法】削除
【補正の内容】
【手続補正４】
【補正対象書類名】明細書
【補正対象項目名】００９１
【補正方法】削除
【補正の内容】
【手続補正５】
【補正対象書類名】明細書
【補正対象項目名】００９２
【補正方法】削除
【補正の内容】
【手続補正６】
【補正対象書類名】明細書
【補正対象項目名】００９３
【補正方法】削除
【補正の内容】
【手続補正７】
【補正対象書類名】明細書
【補正対象項目名】００９４
【補正方法】削除
【補正の内容】
【手続補正８】
【補正対象書類名】明細書
【補正対象項目名】００９５
【補正方法】削除
【補正の内容】
【手続補正９】
【補正対象書類名】明細書
【補正対象項目名】００９６
【補正方法】削除
【補正の内容】
【手続補正１０】
【補正対象書類名】明細書
【補正対象項目名】００９７
【補正方法】削除
【補正の内容】
【手続補正１１】
【補正対象書類名】明細書
【補正対象項目名】００９８
【補正方法】削除
【補正の内容】